(57)【特許請求の範囲】
【請求項１】
阻止域で抑圧されたリアクタンスフィルタであって、
入力信号（ＥＳ）を印加するための入力端子（１）と、
出力信号（ＴＳ）を出力するための出力端子（Ａ１００）と、
前記入力端子（１）と出力端子（２）との間の信号路（ＳＰ）に接続された少なくとも１つの直列共振器（１１，１２，１３，１４）と、
前記信号路（ＳＰ）と、基準電位を印加するための端子（Ｍ）との間に接続された複数の並列共振器（２１，２２，２３，２４）であって、前記複数の並列共振器（２１，２２，２３，２４）の各々が異なる部位（Ｓ１，Ｓ２，Ｓ３，Ｓ４）で前記信号路（ＳＰ）に接続されている並列共振器と、
前記複数の並列共振器の内の１つの並列共振器（２１）にのみ直列に接続されたインダクタ（３１）と、
一方の端子（Ａ５０ａ）および他方の端子（Ａ５０ｂ）を有するコンデンサ（５０）と、
前記信号路（ＳＰ）と、前記基準電位を印加するための端子（Ｍ）との間に接続された少なくとも１つの他の並列共振器（２２，２３，２４）と、
を備え、
前記コンデンサの前記一方の端子（Ａ５０ａ）は、前記複数の並列共振器の内の前記１つの並列共振器（２１）と前記インダクタ（３１）との間に接続されており、前記コンデンサの他の接続部（Ａ５０ｂ）が前記出力端子（Ａ１００）に接続されており、
前記複数の並列共振器の内の前記１つの並列共振器（２１）は、前記信号路（ＳＰ）の第１の部位（Ｓ１）で前記信号路（ＳＰ）に接続され、少なくとも１つの他の並列共振器（２２，２３，２４）が前記信号路（ＳＰ）の第２の部位（Ｓ２，Ｓ３，Ｓ４）で前記信号路（ＳＰ）に接続されており、
前記第１の部位（Ｓ１）は、前記第２の部位（Ｓ２，Ｓ３，Ｓ４）よりも入力端子（１）の近くに配置されているリアクタンスフィルタ。
【請求項２】
請求項１に記載のリアクタンスフィルタにおいて、
前記複数の並列共振器の内の前記１つの並列共振器（２１）および少なくとも１つの直列共振器（１１，１２，１３，１４）は、それぞれ担体基板（５００）に配置された櫛状の構造体（４，５）を備え、
前記コンデンサ（５０）は、櫛状構造体（５１，５２）として担体基板の上に形成されており、
前記コンデンサの前記櫛状の構造体（５１，５２）は、前記担体基板（５００）の上に、前記複数の並列共振器の内の前記１つの並列共振器（２１）および前記少なくとも１つの直列共振器（１１，１２，１３，１４）の櫛状の構造体（４，５）とは異なる方向に配置されているリアクタンスフィルタ。
【請求項３】
請求項２に記載のリアクタンスフィルタにおいて、
前記コンデンサ（５０）の前記櫛状の構造体（５１，５２）が、前記コンデンサの櫛状の構造体（５１，５２）に電圧が印加された際に、担体基板に音響波が励起されないように、担体基板（５００）に配置されているリアクタンスフィルタ。
【請求項４】
請求項２または３に記載のリアクタンスフィルタにおいて、
前記コンデンサの前記櫛状の構造体（５１，５２）は、前記複数の並列共振器の内の前記１つの並列共振器（２１）および前記少なくとも１つの直列共振器（１１，１２，１３，１４）のそれぞれの櫛状の構造体（４，５）に対して９０°回転されて前記担体基板（５００）に配置されているリアクタンスフィルタ。
【請求項５】
請求項１乃至４のいずれか一項に記載のリアクタンスフィルタにおいて、
前記少なくとも１つの直列共振器（１１，１２，１３，１４）および前記複数の並列共振器の内の前記１つの並列共振器（２１）は、それぞれ１ポート共振器として構成されているリアクタンスフィルタ。
【請求項６】
請求項１乃至５のいずれか一項に記載のリアクタンスフィルタにおいて、
前記担体基板（５００）は、ニオブ酸リチウム、タンタル酸リチウムまたは石英からなる材料を備えるリアクタンスフィルタ。
【請求項７】
請求項１乃至６のいずれか一項に記載のリアクタンスフィルタにおいて、
基準電位を印加するための端子（Ｍ）は、接地電位を印加するための端子として構成されているリアクタンスフィルタ。
【請求項８】
デュプレクサデバイスであって、
請求項１乃至７のいずれか一項に記載のリアクタンスフィルタ（１００）と、
他の入力信号（ＡＳ）を印加するための入力端子（Ｅ２００）および他の出力信号（ＲＳ）を出力するための出力端子（３）を有する他のリアクタンスフィルタ（２００）と、
送信／受信素子（３００）を接続するための端子（２）と、を備え、
前記リアクタンスフィルタ（１００）の前記出力端子（Ａ１００）および前記他のリアクタンスフィルタ（２００）の前記入力端子（Ｅ２００）は、それぞれ前記送信／受信素子（３００）を接続するための端子（２）に接続されているデュプレクサデバイス。
【請求項９】
請求項８に記載のデュプレクサデバイスにおいて、
前記送信／受信素子を接続するための端子（２）は、アンテナ（３００）を接続するための端子として構成されているデュプレクサデバイス。
【発明の詳細な説明】
【技術分野】
【０００１】
本発明は、阻止域で抑圧されたリアクタンスフィルタに関する。本発明は、さらにデュプレクサデバイスであって、デュプレクサデバイスの送信路および／または受信路にリアクタンスフィルタを備えるデュプレクサデバイス
、特にアンテナデュプレクサに関する。
【背景技術】
【０００２】
デュプレクサデバイス、特にアンテナデュプレクサは、それぞれ送信／受信装置を接続するためのデュプレクサデバイスの共通の端子に接続された送受信路を備えてよい。デュプレクサデバイスの送信路には、送信信号の周波数帯域に通過域を備える送信フィルタが設けられていてよい。デュプレクサデバイスの受信路には、受信素子によって受信された信号の周波数の帯域に通過域を備える受信フィルタが設けられていてよい。受信フィルタの通過域の周波数を有する信号が送信路から受信路にカップリングされ、受信フィルタを通って受信路の出力端子に伝送されることを妨げるために、受信フィルタの通過域の周波数に対する送信フィルタの高い信号抑圧が不可欠である。
【０００３】
デュプレクサデバイスでは、送信路から受信路へのスプリアス信号（Storsignal）のカップリングは、デュプレクサデバイス内の様々な伝送路で起こり得る。例えば送信路と受信路の直接の接続のために、この送信路と受信路との間の直結した経路に、受信フィルタの出力端子での信号が伝送され得る。間接的な信号伝送路が、送信フィルタの入力端子から送信路を介してまず送信／受信デバイスを接続するための端子まで延在し、そこから受信路を介して受信フィルタの出力端子まで延在する。
【０００４】
特に上記信号伝送路においては、デュプレクサの受信帯域の周波数を有する信号のための送信路と受信路間の絶縁は、送信フィルタの阻止域での抑圧とと受信フィルタの通過域の挿入損失との積によって得られる。高い絶縁性を達成するために、受信フィルタの通過域の挿入損失を大きくすることが可能である。さらに、送信フィルタの阻止域の信号の抑圧を改善することが可能であるが、しかしながら、その結果として一般に送信フィルタの挿入損失が大きくなる。したがって、受信フィルタの通過域の挿入損失と送信フィルタの通過域の挿入損失は必然的に大きくなるので、上記２つの可能性は、顕著な欠点に結びついている。
【発明の概要】
【発明が解決しようとする課題】
【０００５】
阻止域で抑圧を行うリアクタンスフィルタを提示し、これにより、リアクタンスフィルタの阻止域の周波数を有するスプリアス信号の伝送ができる限り大幅に抑圧されるようにすることが望まれている。さらに、このようなリアクタンスフィルタを備えるデュプレクサ素子が提示されることが望まれており、この際デュプレクサ素子は送信路と受信路との間の高絶縁を備える。
【課題を解決するための手段】
【０００６】
リアクタンスフィルタの可能な一実施形態は、入力信号を印加するための入力端子と、出力信号を出力するための出力端子と、入力端子と出力端子との間の信号路に接続された少なくとも１つの直列共振器と、信号路と、基準電位を印加するための端子との間に接続された複数の並列共振器であって、この複数の並列共振器の各々が異なる部位で上記信号路に接続されている並列共振器と、この複数の並列共振器の内の１つの並列共振器にのみ直列に接続されたインダクタと、一方の端子および他方の端子を有するコンデンサと、信号路（ＳＰ）と、上記の基準電位を印加するための端子（Ｍ）との間に接続された少なくとも１つの他の並列共振器（２２，２３，２４）とを備え、この際、コンデンサの一方の端子は、上記の複数の並列共振器の内の上記の１つの並列共振器とインダクタとの間に接続されており、コンデンサの他の端子は出力端子に接続されている。
また上記の複数の並列共振器の内の上記の１つの並列共振器（２１）は、信号路（ＳＰ）の第１の部位（Ｓ１）でこの信号路（ＳＰ）に接続され、少なくとも１つの他の並列共振器（２２，２３，２４）が信号路（ＳＰ）の第２の部位（Ｓ２，Ｓ３，Ｓ４）で前記信号路（ＳＰ）に接続されており、第１の部位（Ｓ１）は、前記第２の部位（Ｓ２，Ｓ３，Ｓ４）よりも入力端子（１）の近くに配置されている。
【０００７】
リアクタンスフィルタは、デュプレクサデバイスにおける送信フィルタとして使用することができる。コンデンサの１つの端子が、並列共振器と、基準電圧の端子に接続されたインダクタとの間に接続され、コンデンサの他の端子がアンテナに接続されたデュプレクサデバイスのリアクタンスフィルタの出力端子に接続されることにより、受信帯域におけるデュプレクサデバイスの送信路と受信路の間の絶縁が改善される。
【０００８】
可能な一実施形態によれば、デュプレクサデバイスは上記実施形態に基づくリアクタンスフィルタと、他の入力信号を印加するための入力端子および他の出力信号を出力するための出力端子とを有する他のリアクタンスフィルタとを備える。さらに、送信／受信デバイスを接続するための端子が設けられている。リアクタンスフィルタの出力端子および別のリアクタンスフィルタの入力端子は、それぞれ送信／受信デバイスを接続するための端子に接続されている。
【０００９】
リアクタンスフィルタおよびデュプレクサデバイスの他の実施形態は、従属請求項に記載されている。
【００１０】
以下に本発明の実施例を示す図面を参照して、本発明について詳述する。
【図面の簡単な説明】
【００１１】
【図１】デュプレクサデバイスの１つの実施形態を示す図である。
【図２】デュプレクサデバイスで使用するためのリアクタンスフィルタの実施形態を示す図である。
【図３】デュプレクサデバイスで使用するためのリアクタンスフィルタの他の１つの実施形態を示す図である。
【図４】デュプレクサデバイスにおける信号の応答特性を特徴づける伝達関数を示す図である。
【図５】デュプレクサデバイスにおける信号の応答特性を特徴づける他の伝達関数を示す図である。
【図６】コンデンサに接続されたリアクタンスフィルタの変形例でのデュプレクサデバイスにおける信号の応答特性を特徴づける伝達関数を示す図である。
【図７】変換器構造およびリアクタンスフィルタの担体基板上のコンデンサの実施形態を示す図である。
【発明を実施するための形態】
【００１２】
図１は、デュプレクサデバイス１０００、特にアンテナデュプレクサの一実施形態を示す。このデュプレクサデバイスは信号路ＳＰを備え、この信号路ＳＰは送信路ＳＰとしての役割を果たし、入力信号ＥＳを印加するための入力端子１と接続され、送信／受信素子を接続するための出力端子２との間に接続されている。入力端子１には、例えば送信機が接続されてよく、この送信機によって、送信信号が入力信号ＥＳとしてデュプレクサデバイスの入力端子１に印加される。送信路ＳＰには、フィルタ１００、例えばリアクタンスフィルタが設けられている。リアクタンスフィルタは、電気信号を音響信号に変換し、音響信号を電気信号に再変換することによりフィルタ作用が得られるように構成されている。リアクタンスフィルタ１００は、出力端子Ａ１００へ出力信号ＴＳを生成し、この出力信号ＴＳは、放射のために、送信／受信デバイスを接続するための接続部２に供給される。
【００１３】
端子２には、例えばアンテナ３００が送信／受信デバイスとして接続されてよい。インピーダンス４００は、送受信路とアンテナとの間のマッチングを行う位相シフタとして作用する。
【００１４】
デュプレクサデバイス１０００はさらに出力端子３を備え、この出力端子３は、受信路ＥＰによって送信／受信デバイスを接続するための端子２に接続されている。受信路には受信フィルタ２００が設けられ、この受信フィルタもまたリアクタンスフィルタとして構成されてよい。このリアクタンスフィルタは、入力電気信号を音響信号に変換し、音響信号を電気信号に再変換する変換器の装置を備え、この際、フィルタ作用は、受信フィルタ２００の入力端子Ｅ２００とデュプレクサデバイスの出力端子３との間で生じる。アンテナ３００によって受信される信号ＡＳは、このように出力信号ＲＳに変換され、この際、信号振幅もしくはフィルタ２００の減衰は、アンテナ信号ＡＳの周波数に依存している。
【００１５】
図２は、デュプレクサデバイス１０００の１つの実施形態１０００ａを示す。この実施形態１０００ａでは、デュプレクサデバイスは、送信フィルタとして実施形態１００ａのリアクタンスフィルタ１００を含む。リアクタンスフィルタは、入力信号ＥＳを印加するための入力端子１を備える。出力端子Ａ１００には、フィルタ１００からの入力信号に応答して出力信号ＴＳが出力され、この際、出力信号ＴＳの振幅は、入力信号ＥＳの周波数に依存している。リアクタンスフィルタの通過域における所定の周波数では、フィルタは低い挿入損失を示し、これに対して、フィルタの阻止域における周波数を有する入力信号に対して、このフィルタは高い挿入損失を有し、これによる抑圧を有する。
【００１６】
実施形態１００ａでは、リアクタンスフィルタは、信号路ＳＰにおいてリアクタンスフィルタの入力端子１と出力端子Ａ１００との間に直列に接続された直列共振器１１，１２，１３，１４を備える。さらにリアクタンスフィルタは、信号路ＳＰと、基準電位を印加するための端子Ｍとの間に配置された並列共振器２１，２２，２３，２４を含む。端子Ｍは、接地電位を印加するための端子として構成されてよい。
【００１７】
並列共振器２１は、部位Ｓ１で信号路ＳＰに接続されている。この部位Ｓ１は、入力端子１と直列共振器１１との間にある。さらに、並列共振器２１はインダクタ３１を介して、基準電位を印加するための端子Ｍに接続されている。並列共振器２２は、直列共振器１１と直列共振器１２との間で信号路ＳＰの部位Ｓ２に接続されている。並列共振器２３は、直列共振器１２と直列共振器１３との間の信号路の部位Ｓ３で信号路ＳＰに接続されている。両並列共振器２２および２３は、インダクタ３２を介して、基準電位を印加するための端子Ｍに接続されている。インダクタ３１および３２の適切に設定することにより、リアクタンスフィルタの変換軌跡によって規定されたリアクタンスフィルタのフィルタ曲線の極位置を所定の周波数にずらすことができる。もう1つの並列共振器２４が、直列共振器１３と直列共振器１４との間の信号経路の部位Ｓ４で信号路ＳＰに接続されており、基準電位を印加するための端子Ｍに直接に接続されている。
【００１８】
送信路および受信路ＳＰ，ＥＰとアンテナ３００との間の接続部位は、位相シフタとして作用するインピーダンス４００を介して、基準電位を印加するための端子Ｍに接続されている。
【００１９】
受信路ＥＰは、図１に基づいて説明したように構成されており、受信フィルタ２００を含み、受信フィルタ２００には、入力端子Ｅ２００においてアンテナ３００により受信された信号ＡＳが供給され、周波数に依存して出力端子３で出力信号ＲＳが生成される。受信フィルタ２００は、同様に直列および並列共振器の配置を備えるリアクタンスフィルタとして構成されており、送信フィルタの場合と同様に、入力端子Ｅ２００と出力端子３との間に接続されている。
【００２０】
図３は、デュプレクサデバイス１０００の別の実施形態１０００ｂを示す。この実施形態１０００ｂでは、デュプレクサデバイスは実施形態１００ｂの送信フィルタ１００を備える。送信フィルタ１００は、この実施形態１００ｂでも同様にリアクタンフィルタとして構成されている。リアクタンスフィルタ１００は、送信路ＳＰにおいて、図２に示した実施形態の場合と同様に入力信号ＥＳを印加するための入力端子１と出力端子Ａ１００との間に接続されている。送信機から入力端子１に、入力信号ＥＳを送信信号として供給することができる。リアクタンスフィルタの出力端子Ａ１００では出力信号ＴＳが出力される。リアクタンスフィルタは、出力信号ＴＳの振幅が入力信号ＥＳの周波数に依存するように構成されている。
【００２１】
送信路ＳＰには、直列共振器１１，１２，１３，１４が入力端子１と出力端子Ａ１００との間に一列に連続して接続されている。リアクタンスフィルタは、さらに並列共振器２１，２２，２３，２４を備え、これらの並列共振器は、それぞれ、送信路ＳＰと、基準電位を印加するための端子Ｍとの間に接続されている。基準電位を印加するための端子Ｍは、接地電位を印加するための端子として構成されてよい。並列共振器２１は、入力端子１と並列共振器１１との間の送信路の部位Ｓ１で信号路ＳＰに接続されている。さらに、並列共振器２１は、インダクタ３１を介して、基準電位を印加するための端子Ｍに接続されている。もう１つの並列共振器２２は、直列共振器１１と直列共振器１２との間で送信路ＳＰの部位Ｓ２に接続されている。並列共振器２３は、直列共振器１２と直列共振器１３との間の送信路の部位Ｓ３で送信路ＳＰに接続されている。２つの並列共振器２２および２３は、共にインダクタ３２を介して、基準電位を印加するための端子Ｍに接続されている。インダクタ３１および３２の適切に設定することによって、リアクタンスフィルタの変換軌跡によって規定されたリアクタンスフィルタのフィルタ曲線の極位置を所定の周波数にずらすことができる。並列共振器２４は、直列共振器１３と直列共振器１４との間の部位Ｓ４で送信路ＳＰに接続されている。並列共振器２４の別の側は、基準電位を印加するための端子Ｍに接続されている。
【００２２】
図３には、リアクタンスフィルタの実施形態１００ｂの他に、デュプレクサデバイス１０００の内部のリアクタンスフィルタ１００の回路も示されている。リアクタンスフィルタ１００の出力端子Ａ１００は、送信／受信素子３００を接続するための端子２に接続されている。受信路ＥＰにおいて、受信フィルタ２００は、デュプレクサデバイスの出力端子３と、送信／受信素子を接続するための端子２との間に接続されている。受信フィルタ２００は、リアクタンスフィルタとして構成されてよい。
【００２３】
図２に示した実施形態とは異なり、並列共振器２１とインダクタ３１の接続線と出力端子Ａ１００との間にはコンデンサ５０が接続されている。コンデンサ５０の端子Ａ５０ａは、並列共振装置２１とインダクタ３１との間に接続されている。コンデンサの他の端子Ａ５０ｂはリアクタンスフィルタの出力端子Ａ１００に接続されている。
【００２４】
並列共振器およびインダクタの直列回路の間に接続されたコンデンサの側は、好ましくは、入力端子１の最も近くに位置するリアクタンスフィルタの並列分岐に接続されている。図３の実施例では、コンデンサ５０は、例えば並列共振器２１とインダクタ３１との間の接続線に接続されている。並列共振器２１およびインダクタ３１の並列分岐が送信路ＳＰに接続された部位Ｓ１は、例えば、他の並列分岐が送信路ＳＰに接続された他の部位Ｓ２，Ｓ３，Ｓ４よりも入力端子１の近くに位置する。
【００２５】
リアクタンスフィルタの並列分岐と出力接続部との間にコンデンサ５０が接続されていることにより、デュプレクサデバイスの受信帯域における入力端子１と出力端子３との間の絶縁を改善することができる。送信フィルタの通過域における挿入損失および受信フィルタの通過域における挿入損失は、実施形態１００ａのリアクタンスフィルタが接続されていない場合に比べてほとんど変わらない。
【００２６】
図４は、デュプレクサデバイスの伝達関数、特に送信信号ＥＳを印加するための入力端子１とアンテナ３００を接続するための端子２との間の信号伝送を特徴づける伝達関数Ｓ１２、および、アンテナ３００を接続するための端子２とデュプレクサデバイスの出力端子３との間の信号伝送を特徴づける伝達関数Ｓ２３を示す。信号周波数に依存した挿入損失ＩＬの振る舞いが、入力端子１とアンテナ端子の伝送経路およびアンテナ端子２と出力端子３との伝送経路に対して示されている。伝達関数Ｓ１２およびＳ２３は、それぞれリアクタンスフィルタ１００の実施形態１００ａおよび実施形態１００ｂについて示されている。
【００２７】
図２および図３に示した実施形態の受信フィルタ２００は同一なので、伝達関数Ｓ２３の振る舞いではデュプレクサデバイスの実施形態１０００ａおよび１０００ｂの伝達関数の間にずれは生じない。受信フィルタ２００は、図示の実施例では、受信フィルタの通過域Ｄ２００が、２０８０ＭＨｚと２１８０ＭＨｚの間に位置するように構成されている。通過域Ｄ２００の外側には、受信フィルタ２００は、通過域Ｄ２００に対して高い挿入損失を有する阻止域Ｓ２００を備える。
【００２８】
送信フィルタ１００は、実施形態１００ａにおいても実施形態１００ｂにおいても、１６９０ＭＨｚと１７７０ＭＨｚの間の範囲の通過域Ｄ１００を備える。通過域では、リアクタンスフィルタ１００の実施形態１００ａおよびリアクタンスフィルタの実施形態１００ｂの伝達関数Ｓ１２は殆ど違っていない。通過域Ｄ１００の外側には、実施形態１００ａの送信フィルタ１００は、図４にＳ１００ａにより示す阻止域を備える。実施形態１００ｂの送信フィルタ１００の阻止域は、図４にＳ１００ｂで示されている。リアクタンスフィルタ１００の両方の実施形態では、挿入損失は、通過域Ｄ１００に対して著しく増大している。
【００２９】
しかしながら、図４を参照して分かるように、実施形態１００ａのリアクタンスフィルタの阻止域Ｓ１００ａおよび実施形態１００ｂのリアクタンスフィルタの阻止域Ｓ１００ｂに生じる挿入損失ＩＬの値は異なっている。挿入損失のレベルが異なっているにもかかわらず、実施形態１００ａおよび１００ｂのリアクタンスフィルタにおける伝達関数Ｓ１２の基本的な振る舞いはほぼ等しい。
【００３０】
図５には、入力信号ＥＳを印加するための入力端子１と出力信号ＲＳを出力するための出力端子３との間の信号伝送を特徴づける伝達関数Ｓ１３が示されている。入力端子１と出力端子３との間で信号が被る挿入損失ＩＬが、信号の周波数に依存して示されている。図５に示すように、入力端子１と出力端子３との間の伝送路は、実施形態１００ｂのリアクタンスフィルタ１００を使用した場合に、受信フィルタ２００の通過域Ｄ２００、すなわち受信帯域の信号周波数を有する入力信号ＥＳについて、リアクタンスフィルタ１００が実施形態１００ａで構成された場合の伝送路よりも著しく高い挿入損失を示す。
【００３１】
受信フィルタの通過域の周波数を有する信号における入力端子１と出力端子３との間のより高い挿入損失は、入力端子１からスプリアス信号が受信路ＥＰにカップリングされ、後に出力端子３で現れることを妨げる。したがって、実施形態１００ｂのリアクタンスフィルタを設けることにより、受信帯域の信号に対する送信路と受信路との間の絶縁が改善されたデュプレクサデバイスを実現することができる。この際図４に示すように、送信フィルタの通過域における送信フィルタの挿入損失および受信フィルタの通過域における受信フィルタの挿入損失は変わらずに低く保持される。
【００３２】
図６は、コンデンサ５０の種々異なるキャパシタンス値についてデュプレクサデバイスの入力端子１と出力端子３との間の信号伝送を特徴づける伝達関数Ｓ１３の振る舞いを示す。例えば、０．５ｐＦと３０ｐＦの間の範囲の最適なキャパシタンス値５０ａでは、入力端子１と出力端子３との間の伝送経路に対して受信帯域で、約−５５ｄＢの高い挿入損失が示される。
【００３３】
最適なキャパシタンス値を２５％だけ下回る値５０ｂにコンデンサ５０のキャパシタンス値が変化した場合、デュプレクサデバイスの入力端子１と出力端子３との間の伝送路には明らかに低い挿入損失が生じる。同様に、コンデンサ５０のキャパシタンス値５０ｃが最適なキャパシタンス値５０ａを２５％だけ上回る場合にも明らかに低い入力損失が示される。したがって、最適なキャパシタンス値からコンデンサ５０のキャパシタンス値が＋／−２５％異なる場合には、入力端子１と出力端子３との間の絶縁は、明らかに劣化する。コンデンサ５０のために適したキャパシタンス値は、約０．５ｐＦ〜５０ｐＦの範囲である。このようなキャパシタンス値は、特に、並列共振器２１に接続されたインダクタ３１の値によって決定される。
【００３４】
図７は、担体基板５００における並列共振器２１およびコンデンサ５０の実際の構成を示す。並列共振器２１は、他の並列共振器および直列共振器と同様に１ポート共振器としてとして構成されている。並列共振器２１は入力変換器４および出力変換器５を備え、それぞれ櫛状金属構造体として担体基板５００に配置されている。担体基板５００は、例えば、タンタル酸リチウム、ニオブ酸リチウムまたは石英からなる材料を含んでいてもよい。入力変換器および出力変換器の櫛状の構造体４および５は、櫛の個々のフィンガが別の櫛のフィンガの間の間隙で
噛み合うように互いにずらされている。入力変換器および出力変換器５の両側には、それぞれリフレクタ６および７が担体基板５００に設けられている。図３に示したリアクタンスフィルタの実施形態１００ｂに対応して、並列共振器２１の入力変換器４は送信路ＳＰの箇所Ｓ１に接続されている。並列共振器２１の出力変換器５は、インダクタ３１を介して、基準電位を印加するための端子Ｍに接続されている。
【００３５】
出力変換器２とインダクタ３１とのの接続線の間には、コンデンサ５０の端子Ａ５０ａが接続されている。コンデンサ５０の他の端子Ａ５０ｂは、リアクタンスフィルタの出力端子Ａ１００に接続されている。コンデンサ５０は、同様に基板５００に配置された櫛状の構造体５１および櫛状の構造体５２によって実現される。櫛状の構造体５１および５２は、１ポート共振器の入力変換器および出力変換器と同様に、それぞれ他の構造体のフィンガの間の間隙で噛み合うそれぞれ１つのフィンガ構造体を備える。
【００３６】
並列共振器および直列共振器、特に入力および出力変換器４，５ならびにリフレクタ６，７の構造とは異なり、コンデンサ５０の櫛状の構造体５１および櫛状の構造体５２は、担体基板５００のそれぞれの構造体５１，５２に電圧が印加された場合に音響波が生成されないように担体基板５００に配置されている。このために、櫛状の構造体５１，５２は、並列共振器および直列共振器の櫛状の構  造体４，５に比べて異なる配向方向で担体基板に配置されている。構造体５１および５２は、直列共振器および並列共振器の櫛状の構造体に対して９０°だけずらして担体基板に配置されてよい。これにより、リアクタンスフィルタを形成する場合にコンデンサ５０をに並列共振器および直列共振器の軌跡と共に担体基板５００上に簡単に形成することができる。
【符号の説明】
【００３７】
１  入力端子
２  送信／受信素子を接続するための端子
３  出力端子
４  入力変換器
５  出力変換器
６，７  リフレクタ
１１，１２，１３，１４  直列共振器
２１，２２，２３，２４  並列共振器
３１，３２  インダクタ
１００  リアクタンスフィルタ／送信フィルタ
１００ａ，１００ｂ  送信／リアクタンスフィルタの実施形態
２００  受信フィルタ
４００  マッチングインピーダンス
５００  担体基板
１０００  デュプレクサデバイス
【図１】
0005769817.tif 000002
【図２】
0005769817.tif 000003
【図３】
0005769817.tif 000004
【図４】
0005769817.tif 000005
【図５】
0005769817.tif 000006
【図６】
0005769817.tif 000007
【図７】
0005769817.tif 000008